(57)【特許請求の範囲】
【請求項１】
折板屋根に屋根上設備を取り付けるための取付器具であって、
該折板屋根の表面に形成されている被挟持部を挟持する一対の挟持部材を有し、
該一対の挟持部材の各々は、
該一対の挟持部材が該被挟持部を挟持したときに該被挟持部と該折板屋根の表面との隙間に嵌合するように構成した嵌合部を有し、
該嵌合部は、該嵌合部が該隙間と嵌合したときに該被挟持部に当接する当接片を含み、
該当接片は、該嵌合部の幅方向に沿った複数の位置で高さが異なるように構成されている、取付器具。
【請求項２】
前記当接片が前記複数の位置のうちの１つの位置で前記被挟持部に当接したときと、該当接片が該複数の位置のうちの他の位置で該被挟持部に当接したときとでは、前記一対の挟持部材の嵌合部の底面が該被挟持部に対してなす角度が異なるように、該当接片が構成されている、請求項１に記載の取付器具。
【請求項３】
前記当接片は、高さが前記嵌合部の幅方向に沿って段階的にあるいは連続的に変化するように形成された高さ変動部を含み、該高さ変動部は、前記複数の位置のうちの少なくとも１つの位置で前記被挟持部に当接するように構成されている、請求項１または請求項２に記載の取付器具。
【請求項４】
前記当接片は、前記高さ変動部に加えて、高さが前記嵌合部の幅方向に沿って変化しない平坦部を含み、該高さ変動部は、前記複数の位置のうちの１つの位置で前記被挟持部に当接し、該平坦部は、該複数の位置のうちの他の位置で該被挟持部に当接するように構成されている、請求項３に記載の取付器具。
【請求項５】
前記平坦部は、前記被挟持部に当接する端部を、該端部が弾性変形するように折り曲げた構造を有する、請求項４に記載の取付器具。
【請求項６】
前記当接片は、前記高さ変動部での高さが前記平坦部に近いほど高くなるように構成されている、請求項４または請求項５に記載の取付器具。
【請求項７】
前記当接片は、高さが該当接片の一端から該当接片の他端までの全長に渡って段階的にあるいは連続的に変化した構造を有する、請求項１に記載の取付器具。
【請求項８】
前記一対の挟持部材の各々は、
前記嵌合部を構成する底板部と、
該底板部と対向し、かつ該一対の挟持部材を結合するための上板部と、
該底板部と該上板部とを連結する側板部とを含み、
該上板部は、第１上板部分と、該挟持部材の下端からの高さが該第１上板部分より低く、かつ該第１上板部分に対して傾斜した第２上板部分とを含み、
該一対の挟持部材の一方の該第１上板部分及び該第２上板部分をそれぞれ、該一対の挟持部材の他方の該第２上板部分及び該第１上板部分と重ねて、該一対の挟持部材の該上板部同士を押圧したとき、該一対の挟持部材の嵌合部が前記被挟持部と前記折板屋根の表面との隙間に侵入するように構成されている、請求項１から請求項７のいずれか１項に記載の取付器具。
【発明の詳細な説明】
【技術分野】
【０００１】
本発明は、取付器具に関し、特に、建造物の金属屋根に太陽光パネルなどの屋根上設備を取り付けるための取付器具に関するものである。
【背景技術】
【０００２】
従来から工場や倉庫などの建造物には、金属屋根としてハゼ式折板屋根や嵌合式折板屋根が広く用いられている。ハゼ式折板屋根は、一定幅の屋根材を幅方向に複数接続したものであり、個々の屋根材はその中央に溝が形成されるように折り曲げた構造を有している。また、隣接する屋根材の縁部は、屋根上でハゼ締めと呼ばれるカシメ加工で形成された接合部により接合されている。従って、ハゼ式折板屋根では、隣接する屋根材の接合部は屋根の表面から突出した強度の高い線状突起部（ハゼ部）となっている。なお、嵌合式折板屋根もハゼ式折板屋根と同様に一定幅の屋根材を幅方向に複数接続したものであり、隣接する屋根材の縁部は嵌合により接合されている。このような嵌合式折板屋根においても、隣接する屋根材の接合部は、ハゼ式折板屋根の接合部と同様に、屋根の表面から突出した強度の高い線状突起部となっている。
【０００３】
このため、従来から太陽光パネルなどの屋根上設備は、折板屋根のハゼ部などに固定した取付器具に取り付けている。
【０００４】
ところで、ハゼ式折板屋根にはハゼ部の外形形状の違いから丸ハゼ式折板屋根と角ハゼ式折板屋根とがある。
【０００５】
図１２は、これらのハゼ式折板屋根を説明する図である。
【０００６】
丸ハゼ式折板屋根Ｒ１では、図１２（ａ）に示すように、ハゼ部Ｒ１ｃの下に高さ（ｈ１）の低い首部（ハゼ下首部）Ｒ１ｄが形成されているのに対し、角ハゼ式折板屋根Ｒ２では、図１２（ｂ）に示すようにハゼ部Ｒ２ｃの下に高さ（ｈ２（＞ｈ１））の高い首部（ハゼ下首部）Ｒ２ｄが形成されている。また、丸ハゼ式折板屋根Ｒ１では、図１２（ａ）に示すように、ハゼ部Ｒ１ｃの両側の屋根上面Ｒ１ｂが平坦になっているのに対し、角ハゼ式折板屋根Ｒ２では、図１２（ｂ）に示すように、ハゼ部Ｒ２ｃの両側の屋根上面Ｒ２ｂは、ハゼ部Ｒ２ｃから遠ざかるほど低くなるように傾斜角（θ）で傾斜している。
【０００７】
そこで、従来は、丸ハゼ式折板屋根には丸ハゼ用取付器具を用い、角ハゼ式折板屋根には角ハゼ用取付器具を用いている。
【０００８】
図１３は、従来のハゼ用取付器具を説明する図である。
【０００９】
丸ハゼ用取付器具２００は、図１３（ａ）に示すように、左右一対の挟持部材２３０ａおよび２３０ｂを有し、これらの挟持部材２３０ａおよび２３０ｂは、両者がボルト２１０とナット２１１ｂとにより連結されることによりハゼ下首部Ｒ１ｄを挟持する器具本体２３０を構成している。
【００１０】
ここで、一方の挟持部材２３０ａは、ボルト２１０が挿入される上板部２３１ａと、丸ハゼ部Ｒ１ｃと屋根表面Ｒ１ｂとの隙間に嵌合する底板部２３２ａと、上板部２３１ａと底板部２３２ａとを連結する側板部２３３ａとを有している。また、他方の挟持部材２３０ｂも、挟持部材２３０ａと同様に、上板部２３１ｂ、底板部２３２ｂ、及び側板部２３３ｂを有している。また、それぞれの挟持部材２３０ａ、２３０ｂの底板部２３２ａ、２３２ｂの先端には、ハゼ下首部Ｒ１ｄに当接する折り返し部分（当接片）２３２ａ１、２３２ｂ１が形成されている。
【００１１】
丸ハゼ用取付器具２００の各挟持部材２３０ａ、２３０ｂでは、丸ハゼ式折板屋根Ｒ１における丸ハゼ部Ｒ１ｃの両側の上面Ｒ１ｂが平坦であることから、底板部２３２ａ、２３２ｂと上板部２３１ａ、２３１ｂとが平行となっている。
【００１２】
また、角ハゼ用取付器具３００は、丸ハゼ用取付器具２００と同様に、図１３（ｂ）に示すように、左右一対の挟持部材３３０ａおよび３３０ｂを有している。これらの挟持部材３３０ａおよび３３０ｂは、両者がボルト３１０とナット３１１ｂとにより連結されることによりハゼ下首部Ｒ２ｄを挟持する器具本体３３０を構成している。
【００１３】
ここで、角ハゼ用取付器具における一対の挟持部材３３０ａ、３３０ｂも、丸ハゼ用取付器具における一対の挟持部材２３０ａ、２３０ｂと同様に、上板部３３１ａ、３３１ｂと、底板部３３２ａ、３３２ｂと、側板部３３３ａ、３３３ｂとを有している。それぞれの挟持部材３３０ａ、３３０ｂの底板部３３２ａ、３３２ｂの先端には、ハゼ下首部Ｒ２ｄに当接する折り返し部分（当接片）３３２ａ１、３３２ｂ１が形成されている。
【００１４】
角ハゼ用取付器具３００では、角ハゼ式折板屋根Ｒ２におけるハゼ部Ｒ２ｃの両側の屋根上面Ｒ２ｂが外側ほど低くなるように傾斜していることから、それぞれの挟持部材３３０ａ、３３０ｂの底板部３２３ａ、３２３ｂは上板部３３１ａ及び３３１ｂに対して傾斜している。
【００１５】
なお、特許文献１には、図１３（ｂ）に示す角ハゼ用取付器具３００が開示されている。
【先行技術文献】
【特許文献】
【００１６】
【特許文献１】国際公開公報第２０１２−０９８６３８号
【発明の概要】
【発明が解決しようとする課題】
【００１７】
以上のように、ハゼ式折板屋根に屋根上設備を取り付けるための従来の取付器具は、ハゼ式折板屋根のハゼ部の形状に応じた構造となっているため、ハゼ部の形状が異なるハゼ式折板屋根毎に準備する必要があった。
【００１８】
つまり、角ハゼ用取付器具３００を丸ハゼ式折板屋根Ｒ１に用いることは困難であった。なぜなら、角ハゼ用取付器具３００における各挟持部材３３０ａ、３３０ｂの当接片３３２ａ１、３３２ｂ１の高さは丸ハゼ式折板屋根Ｒ１のハゼ下首部Ｒ１ｄの高さより高いからである。
【００１９】
また、丸ハゼ用取付器具２００では、一対の挟持部材２３２ａ、２３２ｂの底板部先端の当接片２３２ａ１，２３２ｂ１の高さは、丸ハゼ式折板屋根のハゼ下首部Ｒ１ｄの高さ（ｈ１）に合わせてあり、角ハゼ用取付器具３００におけるものに比べて低いので、丸ハゼ用取付器具２００を、図１３（ｃ）に示すように、ハゼ下首部Ｒ２ｄの高さ（ｈ２）の高い角ハゼ式折板屋根Ｒ２に用いることは可能であった。
【００２０】
しかしながら、丸ハゼ用取付器具２００の各挟持部材２３０ａ、２３０ｂにおける底板部の当接片２３２ａ１及び２３２ｂ１は、角ハゼ用取付器具３００の各挟持部材３３０ａ、３３０ｂにおける底板部の当接片３３２ａ１及び３３２ｂ１とは異なり、角ハゼ式折板屋根Ｒ２のハゼ下首部Ｒ２ｄの高さ（ｈ２）に対応していない。このため、丸ハゼ用取付器具２００の一対の挟持部材２３０ａ及び２３０ｂが角ハゼ式折板屋根Ｒ２のハゼ下首部Ｒ２ｄを挟持したとき、図１３（ｃ）に示すように、丸ハゼ用取付器具２００の当接片２３２ａ１及び２３２ｂ１の上端が丸ハゼ式折板屋根Ｒ１のハゼ部Ｒ１ｂの下面に届かない。また、角ハゼ式折板屋根Ｒ２では、ハゼ部Ｒ２ｃの両側の屋根上面Ｒ２ｂがハゼ部Ｒ２ｃから遠ざかるほど低くなるように傾斜しているので、丸ハゼ用取付金具２００における挟持部材２３０ａ、２３０ｂの平坦な底板部２３３ａ、２３３ｂの下面とハゼ部Ｒ２ｃの両側の屋根上面Ｒ２ｂとの間に隙間ができてしまう（図３（ｃ）参照）。
【００２１】
その結果、丸ハゼ用取付金具２００を角ハゼ式折板屋根Ｒ２に用いた場合は、丸ハゼ用取付金具２００に取り付けた屋根上設備が角ハゼ式折板屋根Ｒ２上でガタツクといった問題があった。
【００２２】
また、ハゼ式折板屋根と嵌合式折板屋根とで取付器具を共用することも上記と同様の理由から実質的には困難であった。
【００２３】
本発明は、上記のような問題点を解決するためになされたものであり、被挟持部の形状の異なる複数種の折板屋根に対して強固に固定することができ、これにより、種類の異なる折板屋根に対しても屋根上設備をガタツキなく取り付けることができる取付器具を得ることを目的とする。
【課題を解決するための手段】
【００２４】
本発明に係る取付器具は、折板屋根に屋根上設備を取り付けるための取付器具であって、該折板屋根の表面に形成されている被挟持部を挟持する一対の挟持部材を有し、該一対の挟持部材の各々は、該一対の挟持部材が該被挟持部を挟持したときに該被挟持部と該折板屋根の表面との隙間に嵌合するように構成した嵌合部を有し、該嵌合部は、該嵌合部が該隙間と嵌合したときに該被挟持部に当接する当接片を含み、該当接片は、高さの異なる複数の当接部位を有するものであり、そのことにより上記目的が達成される。
【００２５】
本発明は、上記取付器具において、前記当接片の前記複数の当接部位のうちの１つが前記被挟持部に当接したときと、該当接片の該複数の当接部位のうちの他の１つが該被挟持部に当接したときとでは、前記一対の挟持部材の嵌合部の底面がなす角度が異なることが好ましい。
【００２６】
本発明は、前記取付器具において、前記当接片は、高さが前記嵌合部の幅方向に沿って段階的にあるいは連続的に変化するように形成された高さ変動部を含み、該高さ変動部は、前記複数の当接部位のうちの少なくとも１つを含むことが好ましい。
【００２７】
本発明は、前記取付器具において、前記当接片は、前記高さ変動部に加えて、高さが前記嵌合部の幅方向に沿って変化しない平坦部を含み、該高さ変動部は、前記複数の当接部位のうちの１つを含み、該平坦部は、該複数の当接部位のうちの他の１つを含むことが好ましい。
【００２８】
本発明は、前記取付器具において、前記平坦部は、前記被挟持部に当接する端部を、該端部が弾性変形するように折り曲げた構造を有することが好ましい。
【００２９】
本発明は、前記取付器具において、前記当接片は、前記高さ変動部での高さが前記平坦部に近いほど高くなるように構成されていることが好ましい。
【００３０】
本発明は、前記取付器具において、前記当接片は、高さが該当接片の一端から該当接片の他端までの全長に渡って段階的にあるいは連続的に変化した構造を有することが好ましい。
【００３１】
本発明は、前記取付器具において、前記一対の挟持部材の各々は、前記嵌合部を構成する底板部と、該底板部と対向し、かつ該一対の挟持部材を結合するための上板部と、該底板部と該上板部とを連結する側板部とを含み、該上板部は、第１上板部分と、該挟持部材の下端からの高さが該第１上板部分より低く、かつ該第１上板部分に対して傾斜した第２上板部分とを含み、該一対の挟持部材の一方の該第１上板部分及び該第２上板部分をそれぞれ、該一対の挟持部材の他方の該第２上板部分及び該第１上板部分と重ねて、該一対の挟持部材の該上板部同士を押圧したとき、該一対の挟持部材の嵌合部が前記被挟持部と前記折板屋根の表面との隙間に侵入するように構成されていることが好ましい。
【発明の効果】
【００３２】
本発明によれば、被挟持部の形状の異なる複数種の折板屋根に強固に固定することができ、これにより、種類の異なる折板屋根に対しても屋根上器具をガタツキなく取り付けることができる取付器具を実現することができる。
【図面の簡単な説明】
【００３３】
【図１】図１は、本発明の実施形態１による取付器具を説明する図であり、太陽光パネルが丸ハゼ式折板屋根に設置された状態（図１（ａ））、及びこの取付器具により太陽光パネルがハゼ式折板屋根に固定される様子（図１（ｂ））を示している。
【図２】図２は、本発明の実施形態１による取付器具を説明する斜視図であり、この取付器具を分解して、この取付器具に固定される太陽光パネルとともに示している。
【図３】図３は、本発明の実施形態１による取付器具を説明する図であり、上面図（図３（ａ））、正面図（図３（ｂ））、底面図（図３（ｃ））、左側面図（図３（ｄ））、右側面図（図３（ｅ））、及び背面図（図３（ｆ））を示している。
【図４】図４は、本発明の実施形態１による取付器具の断面構造を説明する図であり、上面図（図４（ａ））、図４（ａ）のＢ−Ｂ線断面図（図４（ｂ））、及び図４（ａ）のＣ−Ｃ線断面図（図４（ｃ））を示している。
【図５】図５は、本発明の実施形態１による取付器具の器具本体を一対の挟持部材の組み合わせにより組み立てる方法を説明する図であり、組み合わせ方法を表す上面図（図５（ａ））、正面図（図５（ｂ））、及び側面図（図５（ｃ））を示している。
【図６】図６は、本発明の実施形態１による取付器具の器具本体を一対の挟持部材の組み合わせにより組み立てた状態を説明する図であり、上面図（図６（ａ））、正面図（図６（ｂ））、及び側面図（図６（ｃ））を示している。
【図７】図７は、本発明の実施形態１による取付器具を説明する図であり、この取付器具を丸ハゼ式折板屋根に取り付けたときの丸ハゼ式折板屋根に対する取付器具の姿勢（図７（ａ））、及び取付器具の嵌合部と丸ハゼ式折板屋根のハゼ部下側の隙間との嵌合状態（図７（ｂ））を示している。
【図８】図８は、本発明の実施形態１による取付器具を説明する図であり、この取付器具を角ハゼ式折板屋根に取り付けたときの角ハゼ式折板屋根に対する取付器具の姿勢（図８（ａ））、及び取付器具の嵌合部と角ハゼ式折板屋根のハゼ部下側の隙間との嵌合状態（図８（ｂ））を示している。
【図９】図９は、本発明の実施形態１による取付器具を説明する図であり、この取付器具を丸ハゼ式折板屋根に取り付けたときの嵌合部とハゼ部との位置関係（図９（ａ））、この取付器具を角ハゼ式折板屋根に取り付けたときの嵌合部とハゼ部との位置関係（図９（ｂ））、及び嵌合部における当接片の高さの変化（図９（ｃ））を示している。
【図１０】図１０は、本発明の実施形態１の変形例による取付器具を説明する図であり、変形例１および変形例２による取付器具の器具本体（図１０（ａ）および図１０（ｂ））を分解して示している。
【図１１】図１１は、本発明の実施形態１の変形例による取付器具を説明する図であり、変形例３〜変形例４による取付器具の器具本体（図１１（ａ）および図１１（ｄ））、変形例３の取付器具の器具本体を丸ハゼ式折板屋根及び角ハゼ式折板屋根に取り付けた状態（図１１（ｂ）および図１１（ｃ））、変形例４の取付器具の器具本体の側面および正面（図１１（ｅ）および図１１（ｆ））を示している。
【図１２】図１２は、丸ハゼ式折板屋根（図１２（ａ））および角ハゼ式折板屋根（図１２（ｂ））の模式的な構造を示している。
【図１３】図１３は、従来の丸ハゼ用取付器具及び角ハゼ用取付器具を説明する図であり、丸ハゼ用取付器具を丸ハゼ式折板屋根に取り付けた状態（図１３（ａ））、角ハゼ用取付器具を角ハゼ式折板屋根に取り付けた状態（図１３（ｂ））、および丸ハゼ用取付器具を角ハゼ式折板屋根に取り付けた状態（図１３（ｃ））を示している。
【発明を実施するための形態】
【００３４】
以下、本発明の実施形態について図面を参照しながら説明する。
【００３５】
（実施形態１）
図１は、本発明の実施形態１による取付器具を説明する図であり、太陽光パネルが設置される丸ハゼ式折板屋根（図１（ａ））、及びこのハゼ式折板屋根に本実施形態１の取付器具により太陽光パネルが固定される様子（図１（ｂ））を示している。
【００３６】
この実施形態１の取付器具１０は、ハゼ式折板屋根Ｒに屋根上設備を取り付けるための取付器具である。ここでは、この取付器具１０は、屋根上設備として例えば太陽光パネルＳを取り付けるものである。また、ハゼ式折板屋根Ｒは、従来技術で説明した丸ハゼ式折板屋根Ｒ１であり、図１（ａ）に示すように、金属薄板を折り曲げた長尺屋根材の辺同士を『ハゼ締め』とよばれるカシメ加工により接合してなる構造を有する。このハゼ式折板屋根Ｒの表面は、断面台形形状の線状隆起部Ｒａが幅方向に繰り返し配置された波板形状となっている。このようなハゼ式折板屋根Ｒは、隣接する線状隆起部Ｒａの間の凹部が雨水の流路となるように傾斜させて設置される。このハゼ式折板屋根Ｒの線状隆起部Ｒａの上面Ｒｂ上には、カシメ加工で形成された強度のある線状接合部（以下ハゼ部という。）Ｒｃが形成されている。
【００３７】
この取付器具１０は、従来のソーラー取付器具２００と同様、ハゼ式折板屋根Ｒのハゼ部Ｒｃに固定される器具本体１００と、この器具本体１００の上板部から突出するボルト１１０ｃと、ボルト１１０ｃに装着されて太陽光パネルＳを載置するパネル載置円板２２０と、パネル載置円板２２０上に載置された太陽光パネルＳを押圧する押さえ金具２２１とを有する。パネル載置円板２２０および押さえ金具２２１はそれぞれ、ボルト１１０ｃを挿入するボルト孔２２０ａおよび２２１ａを有している。ここでは、器具本体１００には、ボルト１１０ｃに装着されたパネル載置円板２２０がナット２１１ｃにより固定されている。
【００３８】
また、ボルト１１０ｃには、パネル載置円板２２０と押さえ金具２２１とにより太陽光パネルＳが器具本体１００に固定されるように、押さえ金具２２１をパネル載置円板２２０に締め付けるナット２１１ａが装着される。
【００３９】
以下、取付器具１０について詳しく説明する。
【００４０】
図２は、本発明の実施形態１による取付器具を説明する斜視図であり、この取付器具を分解して、この取付器具に固定される太陽光パネルとともに示している。また、図３は、本発明の実施形態１による取付器具を示す上面図（図３（ａ））、正面図（図３（ｂ））、底面図（図３（ｃ））、左側面図（図３（ｄ））、右側面図（図３（ｅ））、及び背面図（図３（ｆ））を含んでいる。
【００４１】
取付器具１０は、ハゼ式折板屋根の表面に形成されたハゼ部（被挟持部）を挟持する一対の挟持部材１００ａ及び１００ｂを有している。ここで、これらの挟持部材１００ａ及び１００ｂは、薄鋼板や亜鉛系めっき薄鋼板等の金属板の打ち抜き、及び折り曲げ加工により形成されている。これらの挟持部材１００ａ及び１００ｂは、取付器具１０の器具本体１００を構成しており、一対の挟持部材１００ａ及び１００ｂはいずれも同一の形状を有している。取付器具１０は、器具本体１００とともに、パネル載置円板２２０並びにこれらを固定するためのボルト１１０ｃ及びナット２１１ｃを含んでいる。
【００４２】
そこで、以下、一対の挟持部材の一方（図２における紙面左側の挟持部材）１００ａについて詳しく構造を説明する。
【００４３】
挟持部材１００ａは、底板部１３０、上板部１１０、及び底板部１３０と上板部１１０とを連結する側板部１２０を有している。底板部１３０は、一対の挟持部材１００ａ及び１００ｂがハゼ部Ｒを挟持したときにハゼ部Ｒｃとハゼ式折板屋根Ｒの上面Ｒｂとの隙間Ｃｐに嵌合する嵌合部となっている。この底板部１３０は、底板部１３０がハゼ部Ｒｃと屋根上面Ｒｂとの隙間Ｃｐと嵌合したときにハゼ部Ｒｃの下側面に当接する当接片１３１を含んでいる。当接片１３１は、高さの異なる第１および第２の当接部位を有する構造となっている。また、挟持部材１００ａ及び１００ｂは、当接片１３１の第１の当接部位がハゼ部Ｒｃに当接したときと、当接片１３１の第２の当接部位がハゼ部Ｒｃに当接したときとでは、一対の挟持部材の嵌合部（底板部）の底面がなす角度が異なるように構成されている。
【００４４】
具体的には、当接片１３１は、高さが底板部１３０の幅方向（つまり、底板部１３０と側板部１２０とが形成する交線に平行な方向）に沿って連続的に変化するように形成された傾斜部（高さ変動部）１３０ｂを含んでいる。ただし、当接片１３１に含まれる傾斜部１３０ｂは、嵌合部１３０の幅方向に沿って段階的に変化する構造としてもよい。
【００４５】
ここでは、当接片１３１は、傾斜部１３０ｂに加えて、高さが嵌合部１３０の幅方向に沿って変化しない平坦部１３０ａを含む構造としている。
【００４６】
また、傾斜部１３０ｂは、底板部１３０の底面から垂直に立ち上がる垂直壁により構成されており、この垂直壁の高さが平坦部１３０ａから遠ざかるほど低くなっている。また、平坦部１３０ａは、底板部１３０の底面から垂直に立ち上がる垂直壁１３０ａ１と、この垂直壁１３０ａ１の上部を対向する側板部１２０の側に折り曲げた折り曲げ部１３０ａ２とから構成されている。
【００４７】
ここで、傾斜部１３０ｂは、第１当接部位として図７（ａ）に示す丸ハゼ式折板屋根Ｒ１のハゼ下首部Ｒ１ｄの高さに対応する部位Ｐ１を含み、第１当接部位での高さは、傾斜部１３０ｂの最も高さの低い端部での高さＳａと、傾斜部１３０ｂの最も高さの高い端部での高さＳｂとの間の高さである（図９（ｃ）参照）。また、平坦部１３０ａは、図８（ａ）に示す角ハゼ式折板屋根Ｒ２のハゼ下首部Ｒ２ｄの高さ（ｈ２）に対応する高さを有する第２当接部位Ｐ２となっている。
【００４８】
続いて、挟持部材１００ａの上板部１１０の構造について説明する。
【００４９】
図４は、本発明の実施形態１による取付器具の断面構造を説明する図であり、上面図（図４（ａ））、図４（ａ）のＢ−Ｂ線断面図（図４（ｂ））、及び図４（ａ）のＣ−Ｃ線断面図（図４（ｃ））を示している。
【００５０】
この挟持部材１００ａの上板部１１０は、第１上板部１１０ａと、挟持部材１１０の構成材料である金属板の厚み程度第１上板部１１０ａより低い第２上板部１１０ｂとを含み、もう一方の挟持部材１００ｂと組み合わせたとき、挟持部材１００ａの第１上板部１１０ａが挟持部材１００ｂの第２上板部１１０ｂ上にこれと重なるように位置し、挟持部材１００ａの第２上板部１１０ｂ上にはこれと重なるように挟持部材１００ｂの第１上板部１１０ａが位置するようになっている。
【００５１】
また、挟持部材１００ａの第１上板部１１０ａと挟持部材１００ｂの第２上板部１１０ｂとが密着し、かつ挟持部材１００ｂの第１上板部１１０ａと挟持部材１００ａの第２上板部１１０ｂとが密着するように両者の上板部１１０をボルト１１０ｃ及びナット２１１ｃにより、パネル載置円板２２０とともに締め付けたとき、一対の挟持部材１００ａ及び１００ｂの底板部（嵌合部）１３０同士が押圧し合うように、それぞれの挟持部材１００ａ及び１００ｂでは、第１上板部１１０ａに対して第２上板部１１０ｂを若干傾斜させた構造としている。
【００５２】
また、挟持部材１００ａの上板部１１０と挟持部材１００ｂの上板部１１０とのボルトによる締め付けにより、一対の挟持部材１００ａ及び１００ｂの底板部１３０同士が近づくことにより、これらの挟持部材１００ａ及び１００ｂの底板部１３０の下側面の傾斜角度が角ハゼ式折板屋根Ｒ２の屋根上面の傾斜角度に近づくようになっている。
【００５３】
また、挟持部材１００ａ、１００ｂの一方の第１上板部１１０ａの表面１０１上には隆起部１０１ｃが補強のために形成されており、また、挟持部材１００ａ、１００ｂの一方の第２上板部１１０ｂの表面１０２上には、他方の挟持部材の第１上板部１１０ａの隆起部１０１ｃに嵌合するように隆起部１０２ａが形成されている。
【００５４】
さらに、各挟持部材の第１上板部１１０ａ及び第２上板部１１０ｂには、一対の挟持部材１００ａ及び１００ｂを組み立てたときに、それぞれの上板部１１０の中央部にボルト孔Ｂｈ（図６（ａ）参照）が形成されるようにそれぞれ切込み１０１ｂ及び１０２ｂが形成されている。
【００５５】
さらに、上板部１１０から側板部１２０を介して底板部１３０に跨るように、挟持部材１００ａ及び１００ｂの両側端部には補強のためにフランジ１０３ａ及び１０３ｂが形成されている。
【００５６】
また、第２上板部１１０ｂの下面にはボルト孔に挿入したボルト１１０ｃの回転を防止するための係止片１０２ｃが第２上板部１１０ｂの下面の周縁に沿って形成されており、係止片１０２ｃの挟持部材の中央部の側の端部がボルト１１０ｃの頭部に当接することでボルトの回転を規制するようになっている。
【００５７】
次に、この挟持部材を組み合わせて取付器具を組み立てる方法について説明する。
【００５８】
図５は、本発明の実施形態１による取付器具の器具本体を一対の挟持部材の組み合わせにより組み立てる方法を説明する図であり、組み合わせ方法を表す上面図（図５（ａ））、正面図（図５（ｂ））、及び側面図（図５（ｃ））を示している。
【００５９】
図５（ａ）〜図５（ｃ）に示すように、一対の挟持部材１００ａ及び１００ｂを、図３（ｂ）の正面図における第２上板部１１０ｂの右側側面が対向するように配置し、一方の挟持部材１００ａの第１および第２上板部１１０ａ及び１１０ｂが、他方の挟持部材１００ｂの第２及び第１上板部１１０ｂ及び１１０ａと重なるように相対的にスライド移動させる。このとき、一対の挟持部材の一方の第１上板部１１０ａの隆起部１０１ｃと、一対の挟持部材の他方の第２上板部１１０ｂの隆起部１０２ａとが嵌合し、一対の挟持部材の一方の第２上板部１１０ｂの隆起部１０２ａと、一対の挟持部材の他方の第１上板部１１０ａの隆起部１０１ｃとが嵌合するまで、両者を相対的に近づけて重ねる。
【００６０】
これにより、図６（ａ）〜図６（ｃ）に示すように、本実施形態１の取付器具１０の器具本体１００が組み立てられる。
【００６１】
次に、この取付器具１０の器具本体１００をハゼ式折板屋根に取り付ける手順について説明する。
【００６２】
まず、一対の挟持部材１００ａ及び１００ｂの組み合わせにより組み立てられた器具本体１００の上板部にはボルト孔Ｂｈが形成されており、このボルト孔Ｂｈにボルト１１０ｃを器具本体１００の下側から挿入し、さらに、器具本体１００の上面から突出したボルト１１０ｃに、パネル載置円板２２０を取り付け、さらに、ボルト１１０ｃが器具本体１００から外れないように、ボルト１１０ｃにはナット２１１ｃを装着しておく。
【００６３】
このようにボルト１１０ｃに一対の挟持部材１００ａ及び１００ｂとパネル載置円板２２０とを装着しておくことで、取付器具１０の器具本体１００、パネル載置円板２２０、ボルト１１０ｃ、及びナット２１１ｃの一式をまとめて取り扱うことができる。
【００６４】
その後、ハゼ式折板屋根Ｒの所定の位置に取付器具１０の器具本体１００を取り付ける。
【００６５】
まず、ハゼ式折板屋根Ｒが丸ハゼ式折板屋根Ｒ１である場合にこの丸ハゼ式折板屋根Ｒ１に器具本体１００を取り付ける場合について説明する。
【００６６】
図７は、本発明の実施形態１による取付器具の器具本体を丸ハゼ式折板屋根に取り付けたときの丸ハゼ式折板屋根に対する器具本体の姿勢（図７（ａ））、及び器具本体の底板部と丸ハゼ式折板屋根のハゼ部下側の隙間との嵌合状態（図７（ｂ））を示している。
【００６７】
なお、図７（ａ）では、取付器具の器具本体を構成する一対の挟持部材の一方を省略して他方のみを概略的に示しており、図７（ｂ）では、取付器具の器具本体を構成する一対の挟持部材を、その上側部分を省略して概略的に示している。また、図９は、この取付器具を丸ハゼ式折板屋根に取り付けたときの底板部とハゼ部との位置関係（図９（ａ））を示している。
【００６８】
器具本体１００を、一対の挟持部材１００ａ及び１００ｂが丸ハゼ式折板屋根Ｒ１のハゼ部Ｒ１ｃの首部、つまりハゼ部Ｒ１ｃと折板屋根の上面Ｒ１ｂとの間の部分を挟持するようにハゼ部Ｒ１ｃに装着する。この状態では、一対の挟持部材１００ａ及び１００ｂはボルト１１０ｃにより連結され、ボルト１１０ｃにはナット２１１ｃが装着されているので、ボルト１１０ｃに対してナット２１１ｃを締め付けることにより、一対の挟持部材１００ａ及び１００ｂの相対向する第１上板部１１０ａ及び第２上板部１１０ｂが互いに密着するように押さえつけられる。これにより一対の挟持部材１００ａ及び１００ｂの底板部１３０は、図９（ａ）の矢印Ｘ１及びＸ２で示す方向に当接片１３１を押圧する。また、このナット２１１ｃの締め付け時の回転力（矢印Ｙの方向の力）が、パネル載置円板２２０を介して一対の挟持部材１００ａ及び１００ｂに働くこととなる。
【００６９】
従って、各挟持部材１００ａ及び１００ｂの嵌合部１３０の当接片１３１は、ハゼ部Ｒ１ｃとその下側の屋根上面Ｒ１ｂとの間の隙間Ｃｐ１に入り込む。このとき、器具本体１００（つまり、一対の挟持部材１００ａ及び１００ｂ）がボルト孔Ｂｈ（図６（ａ）参照）を中心に回転することにより、それぞれの挟持部材１００ａ及び１００ｂの当接片１３１が、一端側の高さの低い部分から隙間Ｃｐ１に侵入し、当接片１３１における、隙間Ｃｐ１に相当する高さを有する部分（第１当接部位）Ｐ１が丸ハゼ部Ｒ１ｃの下側面に当接する回転位置で器具本体１００の回転が実質的に停止する。器具本体１００の回転が実質的に停止した状態で、ナット２１１ｃを締め付けることにより当接片１３１が丸ハゼ部Ｒ１ｃの下側の隙間Ｃｐ１に強固に嵌合することとなる（図７（ａ）、（ｂ）参照）。
【００７０】
次に、ハゼ式折板屋根Ｒが角ハゼ式折板屋根Ｒ２である場合に、角ハゼ式折板屋根に器具本体１００を取り付ける方法について説明する。
【００７１】
図８は、本発明の実施形態１による取付器具の器具本体を角ハゼ式折板屋根に取り付けたときの角ハゼ式折板屋根に対する器具本体の姿勢（図８（ａ））、及び器具本体の嵌合部と角ハゼ式折板屋根のハゼ部下側の隙間との嵌合状態（図８（ｂ））を示している。図９（ｂ）は、この取付器具を角ハゼ式折板屋根に取り付けたときの底面部とハゼ部との位置関係を示している。
【００７２】
器具本体１００を角ハゼ式折板屋根Ｒ２に取り付ける方法は、器具本体１００を丸ハゼ式折板屋根Ｒ１に取り付ける方法と同一である。
【００７３】
つまり、この場合も、一対の挟持部材１００ａ及び１００ｂが角ハゼ式折板屋根Ｒ２のハゼ部Ｒ２ｃの首部、つまりハゼ部Ｒ２ｃと折板屋根の表面部分Ｒ２ｂとの間の部分を挟持するようにハゼ部Ｒ２ｃに装着する。この状態では、一対の挟持部材１００ａ及び１００ｂはボルト１１０ｃにより連結され、ボルト１１０ｃにはナット２１１ｃが装着されているので、ボルト１１０ｃに対してナット２１１ｃを締め付けることにより、一対の挟持部材１００ａ及び１００ｂの相対向する第１上板部１１０ａ及び第２上板部１１０ｂが互いに密着するように押さえ付けられる。これにより一対の挟持部材１００ａ及び１００ｂの底板部１３０は、図９（ｂ）の矢印Ｘ１及びＸ２で示す方向に当接片１３１を押圧する。また、このナット２１１ｃの締め付け時の回転力（矢印Ｙの方向の力）が、パネル載置円板２２０を介して一対の挟持部材１００ａ及び１００ｂに働くこととなる。
【００７４】
従って、各挟持部材１００ａ及び１００ｂの底板部１３０の当接片１３１は、ハゼ部Ｒ２ｃとその下側の屋根表面Ｒ２ｂとの間の隙間Ｃｐ２に入り込む。
【００７５】
このとき、器具本体１００（つまり、一対の挟持部材１００ａ及び１００ｂ）がボルト孔Ｂｈ（図６（ａ）参照）を中心に回転することにより、それぞれの挟持部材１００ａ及び１００ｂの当接片１３１が、一端側の高さの低い部分から隙間Ｃｐ２に侵入し、当接片１３１における、隙間Ｃｐ２に相当する高さを有する部分（第２当接部位）Ｐ２がハゼ部Ｒ２ｃの下側面に当接する回転位置で器具本体１００の回転が実質的に停止する。
【００７６】
ただし、角ハゼ式折板屋根では、ハゼ部Ｒ２ｃの下側の隙間Ｃｐ２が丸ハゼ式折板屋根Ｒ１に比べて広く、当接部１３１の傾斜部１３０ｂではハゼ部Ｒ２ｃの下側面と当接しない場合がある。このような場合には、挟持部材の底板部１３０には図９（ｂ）に示すようにハゼ部Ｒ２ｃを挟む方向（つまり矢印Ｘ１、Ｘ２で示す方向）にボルト１１０ｃとナット２１１ｃによる締め付け力が働いていることから、傾斜部１３０ｂに比べて高さが高い平坦部１３０ａがハゼ部Ｒ２ｃの下側の隙間Ｃｐ２に入り込むこととなる。この当接部１３１における平坦部１３０ａでは、底板部１３０を構成する底面からほぼ垂直に立ち上がった垂直壁１３０ａ１と、この垂直壁１３０ａ１につながり、垂直壁１３０ａ１に対して折り曲げた折り曲げ部１３０ａ２とから構成されているので、平坦部１３０ａは上下方向に撓む構造となっている。
【００７７】
従って、当接片１３１の傾斜部１３０ｂがハゼ部Ｒ２ｃの下面と当接しない場合でも、平坦部１３０ａがハゼ部Ｒ２ｃの下面と当接することで、平坦部１３０ａが撓みながら隙間Ｃｐ２に侵入することとなり、これにより挟持部材１００ａ及び１００ｂがハゼ部に対して強固に固着することとなる。さらに、このように平坦部１３０ａがハゼ部の下側の隙間Ｃｐ２に侵入することで、一対の挟持部材１００ａ及び１００ｂの底板部１３０同士はより近接することとなり、これによりこれらの挟持部材の底板部１３０の下面の傾斜角が、ハゼ部Ｒ２ｃの両側に傾斜している屋根上面Ｒ２ｂの傾斜角に近づくこととなる。これにより底板部１３０が、角ハゼ部Ｒ２ｃとその下側の屋根上面Ｒ２ｂとの隙間Ｃｐ２に侵入したときに強固に嵌合することが可能となる。
【００７８】
このように本実施形態１では、ハゼ式折板屋根Ｒｃに屋根上設備として太陽光パネルＳを取り付けるための取付器具１００において、ハゼ式折板屋根Ｒの表面に形成されたハゼ部Ｒｃを挟持する一対の挟持部材１００ａ及び１００ｂを有し、一対の挟持部材１００ａ及び１００ｂの各々は、一対の挟持部材がハゼ部Ｒｃを挟持したときにハゼ部Ｒｃとハゼ式折板屋根Ｒ１の上面との隙間Ｃｐに嵌合するように構成した底板部１３０を有している。また、底板部１３０は、この底板部１３０が隙間Ｃｐと嵌合したときにハゼ部Ｒｃに当接する当接片１３１を含み、当接片１３１は、丸ハゼ式折板屋根Ｒ１のハゼ下首部Ｒ１ｄの高さ（ｈ１）に相当する高さを有する第１当接部位と、角ハゼ式折板屋根Ｒ２のハゼ下首部Ｒ２ｄの高さ（ｈ２）に相当する高さを有する第２当接部位とを有している。また当接片１３１の第１の当接部位Ｐ１がハゼ部Ｒｃに当接したときと、当接片１３１の第２の当接部位Ｐ２が金属板の接合部に当接したときとでは、一対の挟持部材の底板部（嵌合部）１３０の底面がなす角度が異なることとなる。このため、本実施形態１の取付器具１００では、ハゼ部Ｒｃの形状の異なる複数種のハゼ式折板屋根、例えば丸ハゼ式折板屋根Ｒ１及び角ハゼ式折板屋根Ｒ２のいずれにも強固に固定することができ、これにより、種類の異なるハゼ式折板屋根に対しても太陽光パネルなどの屋根上器具をガタツキなく取り付けることができる。
【００７９】
なお、上記実施形態１では、取付器具として、底板部１３０における当接片１３１が傾斜部１３０ｂと平坦部１３０ａとを有し、平坦部１３０ａが垂直壁１３０ａ１と折り曲げ部１３０ａ２とを有するものについて説明したが、底板部の当接片の形状は上記実施形態１のものに限定されるものではない。
【００８０】
その変形例を以下に説明する。
【００８１】
（実施形態１の変形例）
図１０は、本発明の実施形態１の変形例による取付器具を説明する図であり、まず、変形例１による取付器具について説明する。
【００８２】
図１０（ａ）は、本発明の実施形態１の変形例１による取付器具を説明する図であり、この取付器具の器具本体を構成する一対の挟持部材を示している。
【００８３】
この変形例１による取付器具の器具本体１００１は一対の挟持部材１００１ａ及び１００１ｂから構成されている。ここで一対の挟持部材の各々は同じ構造を有するので、挟持部材１００１ａについて具体的に説明する。
【００８４】
この挟持部材１００１ａは、実施形態１による取付器具の挟持部材１１０ａにおける底板部１３０に代えて、この底板部１３０とは構造が異なる底板部１３１０を備えたものである。
【００８５】
この底板部１３１０における当接片１３１１は、高さが連続的に変化する傾斜部１３１０ｂと、この傾斜部１３１０ｂにつながる高さの変化のない平坦部１３１０ａとから構成されている。傾斜部１３１０ｂは、実施形態１における傾斜部１３１ｂと同一の構造であり、平坦部１３１０ａは、実施形態１における、平坦部１３０ａを構成する垂直壁１３０ａ１及び折り曲げ部１３０ａ２のうちの折り曲げ部１３０ａ２を除去した構造となっている。その他の構成は実施形態１の挟持部材１００ａと同一である。
【００８６】
つまり、傾斜部１３１０ｂは、第１当接部位として図１２（ａ）に示す丸ハゼ式折板屋根Ｒ１のハゼ下首部Ｒ１ｄの高さに対応する部位を含み、第１当接部位での高さは、傾斜部１３１０ｂの最も高さの低い端部での高さＳ１ａと、傾斜部１３１０ｂの最も高さの高い端部での高さＳ１ｂとの間の高さである。また、平坦部１３１０ａは、図１２（ｂ）に示す角ハゼ式折板屋根Ｒ２のハゼ下首部Ｒ２ｄの高さ（ｈ２）に対応する高さを有する第２当接部位となっている。
【００８７】
図１０（ｂ）は、本発明の実施形態１の変形例２による取付器具を説明する図であり、この取付器具の器具本体を構成する一対の挟持部材を示している。
【００８８】
この変形例２による取付器具の器具本体１００２は一対の挟持部材１００２ａ及び１００２ｂから構成されている。ここで一対の挟持部材それぞれは同じ構造を有するので、挟持部材１００２ａについて具体的に説明する。
【００８９】
この変形例２による取付器具を構成する挟持部材１００２ａは、実施形態１による取付器具の挟持部材１１０ａにおける底板部１３０に代えて、この底板部１３０とは構造が異なる底板部１３２０を備えたものである。
【００９０】
この底板部１３２０における当接片１３２１は、高さが当接片の一端から当接片の他端までの全長に渡って連続的に変化した傾斜部となっている。
【００９１】
ここで、この当接片１３２１は、第１当接部位として、図７（ａ）に示す丸ハゼ式折板屋根Ｒ１のハゼ下首部Ｒ１ｄの高さに対応する部位Ｐ１を含み、第１当接部位での高さは、当接片１３２１の最も高さの低い端部での高さＳ２ａと、当接片１３２１の最も高さの高い端部での高さＳ２ｂとの間の高さである。また、当接片１３２１は、第２当接部位として、図８（ａ）に示す角ハゼ式折板屋根Ｒ２のハゼ下首部Ｒ２ｄの高さ（ｈ２）に対応する高さの部位を含み、第２当接部位での高さは、当接片１３２１の最も高さの低い端部での高さＳ２ａと、当接片１３２１の最も高さの高い端部での高さＳ２ｂとの間の高さである。
【００９２】
なお、これらの変形例１及び変形例２において、当接片の高さの変化は連続的な変化に限らず、段階的な変化であってもよい。
【００９３】
図１１（ａ）は、本発明の実施形態１の変形例３による取付器具を説明する図であり、この取付器具の器具本体を構成する一対の挟持部材を示している。
【００９４】
この変形例３による取付器具の器具本体１００３は一対の挟持部材１００３ａ及び１００３ｂから構成されている。ここで一対の挟持部材の各々は同じ構造を有するので、挟持部材１０３ａについて具体的に説明する。
【００９５】
この変形例３による取付器具を構成する挟持部材１００３ａは、実施形態１による取付器具の挟持部材１１０ａにおける底板部１３０に代えて、この底板部１３０とは構造が異なる底板部１３３０を備えたものである。
【００９６】
この底板部１３３０における当接片１３３１は、高さが異なる垂直壁１３３０ａ、１３３０ｂ、１３３０ｃを複数備え、しかも垂直部１３３０ａ、１３３０ｂ、１３３０ｃがハゼ部に当接する位置のハゼ部の中心からの距離も垂直壁毎に設定したものである。
【００９７】
ここでは、当接片１３３１は、中央の垂直壁１３３０ｂと、中央の垂直壁１３３０ｂの両側に配置された垂直壁１３３０ａ及び１３３０ｃとを有する。中央の垂直壁１３３０ｂは、両側の垂直壁１３３０ａ及び１３３０ｃに比べて高さの高いものである。また、中央の垂直壁１３３０ｂは、ハゼ部と当接する位置が、両側の垂直壁１３３０ａ、１３３０ｃに比べてハゼ部Ｒｃから遠い位置になるように構成されている。
【００９８】
例えば、図１１（ｂ）に示すように、この実施形態１の変形例３による取付器具では、丸ハゼ式折板屋根Ｒ１ｃに装着したとき、一対の挟持部材の底面部１３３０の両端の垂直壁１３３０ａ及び１３３０ｃが丸ハゼ式折板屋根Ｒ１の丸ハゼ部Ｒ１ｃの下側面に当接し、中央の垂直壁１３３０ｂは丸ハゼ部Ｒ１ｃの側面に当接して丸ハゼＲ１を固定する。
【００９９】
さらに、図１１（ｃ）に示すように、この実施形態１の変形例３による取付器具を角ハゼ式折板屋根Ｒ２ｃに装着したとき、一対の挟持部材の底面部１３３０の両端の垂直壁１３３０ａ及び１３３０ｃが角ハゼ式折板屋根Ｒ２のハゼ部Ｒ２ｃの下側面にハゼ下首部Ｒ２ｄを挟持し、さらに中央の垂直壁１３４０ｂが角ハゼ部の下側面に当接することとなる。
【０１００】
つまり、当接片（傾斜部）１３３１は、第１当接部位として図１２（ａ）に示す丸ハゼ式折板屋根Ｒ１のハゼ下首部Ｒ１ｄの高さ（ｈ１）に対応する高さの部位（第１当接部位）を両端の垂直壁１３３０ａ及び１３３０ｃとして含み、第２当接部位として、図１２（ｂ）に示す角ハゼ式折板屋根Ｒ２のハゼ下首部Ｒ２ｄの高さ（ｈ２）に対応する高さの部位（第２当接部位）を中央の垂直壁１３３０ｂとして含む。
【０１０１】
（実施形態１の変形例４）
図１１（ｄ）〜図１１（ｆ）は、本発明の実施形態の変形例４による取付器具を説明する図である。
【０１０２】
この実施形態１の変形例４による取付器具は、実施形態１の変形例３による取付器具の器具本体を構成する挟持部材１００３ａ及び１００３ｂに代わる挟持部材１００４ａ及び１００４ｂを備えたものであり、その他の構成は実施形態１の変形例３によるものと同一である。
【０１０３】
すなわち、この実施形態１の変形例４による取付器具を構成する挟持部材１００４ａ及び１００４ｂは、変形例３における挟持部材１００３ａ及び１００３ｂの底板部１３３０に代わる底板部１３４０を備えたものである。
【０１０４】
つまり、この変形例４の底板部１３４０は、実施形態１の変形例３における当接片１３３１の分離された垂直壁１３３０ｂ、１３３０ａ、１３３０ｂを滑らかな曲線で連結して垂直壁１３４０ｂ、１３４０ａ、１３４０ｂを備えたものである。
【０１０５】
なお、上記実施形態１及びその変形例１〜４では、取付器具の器具本体を構成する一対の挟持部材として、ハゼ式折板屋根における金属板の接合部（被挟持部）に当接する当接片が、高さの異なる第１および第２の当接部位を有するものを示したが、一対の挟持部材の当接片は、高さの異なる３つ以上の当接部位を有するものでもよい。この場合、挟持部材の当接片を構成する平坦部は、高さの異なる３つ以上の当接部位のうちの１つを含み、挟持部材の当接片を構成する傾斜部（高さ変動部）は、３つ以上の当接部位のうちのその他の少なくとも１つを含む。このとき、３つ以上の当接部位のうちの１つと、３つ以上の当接部位のうちの他の少なくとも１つとは、あらゆる組み合わせを含んでいる。
【０１０６】
また、上記実施形態及びその変形例では、折板屋根としてハゼ式折板屋根を例に挙げて説明したが、折板屋根には、ハゼ式折板屋根の他に嵌合式折板屋根もあり、本発明の取付器具は、種類の異なるハゼ式折板屋根だけでなく、嵌合式折板屋根にも適応可能である。
【０１０７】
さらに、上記実施形態及びその変形例では、取付器具として、折板屋根に屋根上設備として太陽光パネルを取り付けるものを挙げているが、取付器具により折板屋根に取り付けられる屋根上設備には、空調装置の各種機器、テレビアンテナ、さらに２重葺き屋根の上側の屋根、遮熱シートなどが含まれる。
【０１０８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１０９】
本発明は、取付器具の分野において、被挟持部の形状の異なる複数種の折板屋根に対して強固に固定することができ、これにより、種類の異なる折板屋根に対しても屋根上器具をガタツキなく取り付けることができる取付器具を実現することができる。
【符号の説明】
【０１１０】
１０  取付器具
１００、２３０、１００１〜１００４  器具本体
１００ａ、１００ｂ、１００１ａ、１００１ｂ、１００２ａ、１００２ｂ、１００３ａ、１００３ｂ、１００４ａ、１００４ｂ  挟持部材
１０１、１０２  表面
１０１ａ、１０２ａ  隆起部
１０１ｂ、１０２ｂ  切込み
１０２ｃ  係止片
１０３ａ、１０３ｂ  フランジ
１１０  上板部
１１０ａ  第１上板部
１１０ｂ  第２上板部
１１０ｃ  ボルト
１２０  側板部
１３０、１３３０、１３１０、１３２０、１３３０、１３４０  底板部（嵌合部）
１３０ａ、１３１０ａ  平坦部
１３０ｂ、１３１０ｂ  傾斜部
１３０ａ１、１３３０ａ〜１３３０ｄ、１３４０ａ〜１３４０ｄ  垂直壁
１３０ａ２  折り曲げ部
１３１、１３１１、１３２１、１３３１、１３４１  当接片
２１１ａ、２１１ｃ  ナット
２２０  パネル載置円板
２２０ａ、２２１ａ  ボルト孔
２２１  押さえ金具
Ｂｈ  ボルト孔
Ｃｐ１、Ｃｐ２  隙間
Ｐａ  線状隆起部
Ｐｃ  隙間
Ｒ  ハゼ式折板屋根
Ｒ１  丸ハゼ式折板屋根
Ｒ１ｃ  丸ハゼ部
Ｒ１ｄ、Ｒ２ｄ  ハゼ下首部
Ｒ２  角ハゼ式折板屋根
Ｒ２ｃ  角ハゼ部
Ｒｂ  屋根上面
Ｒｃ  ハゼ部
Ｓ  太陽光パネル
【図１】
0005994109.tif 000002
【図２】
0005994109.tif 000003
【図３】
0005994109.tif 000004
【図４】
0005994109.tif 000005
【図５】
0005994109.tif 000006
【図６】
0005994109.tif 000007
【図７】
0005994109.tif 000008
【図８】
0005994109.tif 000009
【図９】
0005994109.tif 000010
【図１０】
0005994109.tif 000011
【図１１】
0005994109.tif 000012
【図１２】
0005994109.tif 000013
【図１３】
0005994109.tif 000014